(57)【特許請求の範囲】
【請求項１】
患者に血液浄化治療を施すための血液浄化器が取り付けられるとともに、任意に設定された工程信号に応じて所定の液体を送液可能な送液手段を有する血液浄化装置と、
前記所定の液体を前記血液浄化装置に供給可能な液体供給装置と、
を具備し、前記工程信号に応じて前記液体供給装置から前記血液浄化装置に前記所定の液体を供給又は前記所定の液体の供給を停止可能な血液浄化システムにおいて、
前記液体供給装置における前記所定の液体の供給に関わる異常を判別し得る供給側判別手段と、
前記液体供給装置に配設され、前記供給側判別手段にて異常が判別されたことを条件として警報を出力する供給側警報手段と、
前記血液浄化装置における前記送液手段に関わる異常を判別し得る治療側判別手段と、
前記血液浄化装置に配設され、前記治療側判別手段にて異常が判別されたことを条件として警報を出力する治療側警報手段と、
を具備し、前記液体供給装置の異常が判別されたとき、前記治療側警報手段による警報を禁止することを特徴とする血液浄化システム。
【請求項２】
前記治療側判別手段は、前記工程信号と、前記液体供給装置から前記血液浄化装置に対して前記所定の液体が送液されたと推定し得る送液信号と、前記送液手段の駆動状態とに基づいて、前記液体供給装置又は血液浄化装置の何れに異常があるか判別し得ることを特徴とする請求項１記載の血液浄化システム。
【請求項３】
前記工程信号及び送液信号は、前記液体供給装置から前記血液浄化装置に送信されることを特徴とする請求項２記載の血液浄化システム。
【請求項４】
前記血液浄化装置は、操作によって任意の工程信号を選択し得る操作手段を具備するとともに、前記工程信号は、当該操作手段の操作によって得られることを特徴とする請求項１又は請求項２記載の血液浄化システム。
【請求項５】
前記血液浄化装置は、前記所定の液体が供給されたことを検知し得る検知手段を具備するとともに、前記送液信号は、当該検知手段の検知によって得られることを特徴とする請求項２記載の血液浄化システム。
【発明の詳細な説明】
【技術分野】
【０００１】
本発明は、工程信号に応じて液体供給装置から血液浄化装置に所定の液体を供給又は所定の液体の供給を停止可能な血液浄化システムに関するものである。
【背景技術】
【０００２】
一般に、血液浄化システムは、病院等医療現場における機械室にＲＯ水製造装置、溶解装置、透析液供給装置を設置しておき、これとは別の場所である透析室（治療室）に透析用監視装置を設置するとともに、これら透析液供給装置と透析用監視装置とを配管で連結させて構成されている。透析液供給装置は、溶解装置にて作製される透析液原液から所定濃度の透析液を作製するものである一方、透析用監視装置は、透析治療を施す患者数に対応して複数台が設置され、透析液供給装置で作製された透析液を配管を介して各透析用監視装置の血液浄化器（ダイアライザ）に供給する。
【０００３】
すなわち、機械室に設置された透析液供給装置から透析室に設置された複数の透析用監視装置に分配して透析液を送液し、それぞれにおいてダイアライザに透析液を供給して透析治療が行われるよう構成されているのである。このように、機械室で作製された透析液を各透析用監視装置に分配する血液浄化システムは、通常、「透析治療用セントラルシステム」と称される一方、透析用監視装置毎に透析液の作製を行い得るものは、通常、「個人用透析装置」と称される。
【０００４】
例えば、従来、透析液供給装置と各透析用監視装置とを電気的に接続しておき、電気信号である工程信号が透析液供給装置から各透析用監視装置に送信されるよう構成された血液浄化システムが提案されている（特許文献１参照）。工程信号は、透析用監視装置が行うべき工程に応じた動作を行わせるための信号から成り、各透析用監視装置は、工程信号を受信すると、その信号に応じた動作（ポンプの駆動や電磁弁の開閉等）が行われることとなる。
【先行技術文献】
【特許文献】
【０００５】
【特許文献１】特開２００４−１６４１２号公報
【発明の概要】
【発明が解決しようとする課題】
【０００６】
しかしながら、上記従来の血液浄化システムにおいては、透析液供給装置（液体供給装置）に透析液の供給に関わる異常が検出された場合、各透析用監視装置（血液浄化装置）に異常がなくても、当該透析液供給装置と接続された全部の透析用監視装置にて報知手段による報知がなされてしまうという問題があった。この場合、透析液供給装置における異常の原因を発見するための作業に加え、全ての透析用監視装置における異常の報知を解除する作業が必要となってしまう。
【０００７】
本発明は、このような事情に鑑みてなされたもので、液体供給装置の液体の供給に関わる異常が判別された場合、血液浄化装置に異常がなくても警報が出力されてしまうのを回避することができる血液浄化システムを提供することにある。
【課題を解決するための手段】
【０００８】
請求項１記載の発明は、患者に血液浄化治療を施すための血液浄化器が取り付けられるとともに、任意に設定された工程信号に応じて所定の液体を送液可能な送液手段を有する血液浄化装置と、前記所定の液体を前記血液浄化装置に供給可能な液体供給装置とを具備し、前記工程信号に応じて前記液体供給装置から前記血液浄化装置に前記所定の液体を供給又は前記所定の液体の供給を停止可能な血液浄化システムにおいて、前記液体供給装置における前記所定の液体の供給に関わる異常を判別し得る供給側判別手段と、前記液体供給装置に配設され、前記供給側判別手段にて異常が判別されたことを条件として警報を出力する供給側警報手段と、前記血液浄化装置における前記送液手段に関わる異常を判別し得る治療側判別手段と、前記血液浄化装置に配設され、前記治療側判別手段にて異常が判別されたことを条件として警報を出力する治療側警報手段とを具備し、前記液体供給装置の異常が判別されたとき、前記治療側警報手段による警報を禁止することを特徴とする。
【０００９】
請求項２記載の発明は、請求項１記載の血液浄化システムにおいて、前記治療側判別手段は、前記工程信号と、前記液体供給装置から前記血液浄化装置に対して前記所定の液体が送液されたと推定し得る送液信号と、前記送液手段の駆動状態とに基づいて、前記液体供給装置又は血液浄化装置の何れに異常があるか判別し得ることを特徴とする。
【００１０】
請求項３記載の発明は、請求項２記載の血液浄化システムにおいて、前記工程信号及び送液信号は、前記液体供給装置から前記血液浄化装置に送信されることを特徴とする。
【００１１】
請求項４記載の発明は、請求項１又は請求項２記載の血液浄化システムにおいて、前記血液浄化装置は、操作によって任意の工程信号を選択し得る操作手段を具備するとともに、前記工程信号は、当該操作手段の操作によって得られることを特徴とする。
【００１２】
請求項５記載の発明は、請求項２記載の血液浄化システムにおいて、前記血液浄化装置は、前記所定の液体が供給されたことを検知し得る検知手段を具備するとともに、前記送液信号は、当該検知手段の検知によって得られることを特徴とする。
【発明の効果】
【００１３】
請求項１の発明によれば、液体供給装置の異常が判別されたとき、治療側警報手段による警報を禁止するので、液体供給装置の液体の供給に関わる異常が判別された場合、血液浄化装置に異常がなくても警報が出力されてしまうのを回避することができる。
【００１４】
請求項２の発明によれば、治療側判別手段は、工程信号と、液体供給装置から血液浄化装置に対して所定の液体が送液されたと推定し得る送液信号と、送液手段の駆動状態とに基づいて、液体供給装置又は血液浄化装置の何れに異常があるか判別し得るので、異常が判別された装置を容易に特定することができ、異常に対する対処を早急且つ円滑に行わせることができる。
【００１５】
請求項３の発明によれば、工程信号及び送液信号は、液体供給装置から血液浄化装置に送信されるので、液体供給装置から送信された工程信号に従って血液浄化装置において一律的に且つ一斉に所定の動作を行わせることができるとともに、液体供給装置の液体の供給に関わる異常が判別された場合、血液浄化装置に異常がなくても全ての血液浄化装置にて警報が一斉に出力されてしまうのを回避することができる。
【００１６】
請求項４の発明によれば、血液浄化装置は、操作によって任意の工程信号を選択し得る操作手段を具備するとともに、工程信号は、当該操作手段の操作によって得られるので、血液浄化装置にて工程信号を得ることができる。
【００１７】
請求項５の発明によれば、血液浄化装置は、所定の液体が供給されたことを検知し得る検知手段を具備するとともに、送液信号は、当該検知手段の検知によって得られるので、血液浄化装置にて送液信号を得ることができる。
【図面の簡単な説明】
【００１８】
【図１】本発明の第１の実施形態に係る血液浄化システムを示す全体模式図
【図２】同血液浄化システムにおける透析用監視装置（ダイアライザが取り付けられた状態）を示す模式図
【図３】同血液浄化システムを示すブロック図
【図４】同血液浄化システムにおける警報を出力させるための制御内容を示すフローチャート
【図５】本発明の第２の実施形態に係る血液浄化システムを示すブロック図
【図６】本発明の他の実施形態に係る血液浄化システムを示す全体模式図
【発明を実施するための形態】
【００１９】
以下、本発明の実施形態について図面を参照しながら具体的に説明する。
第１の実施形態に係る血液浄化システムは、液体供給手段にて透析液を作製し、その透析液を血液浄化手段に供給して透析治療を行わせるもので、図１に示すように、病院等医療現場における透析室（治療室Ａ）に設置された複数の透析用監視装置１（血液浄化装置）と、当該医療現場における透析室Ａとは別の場所である機械室Ｂに設置された透析液供給装置２（液体供給装置）と、水処理装置３及び溶解装置４とから主に構成される。
【００２０】
透析用監視装置１（血液浄化装置）は、図２に示すように、透析液供給装置２から供給された液体を流動させ得る配管部Ｍｂを有しており、当該配管部Ｍｂには、患者に血液透析治療（透析治療）を施すための血液浄化器としてのダイアライザ５が取り付けられるとともに、任意に設定された工程信号に応じて所定の液体（本実施形態においては透析液、洗浄のためのＲＯ水、消毒のための薬液及び熱水等）を送液可能な複式ポンプ７を有するもので、透析室Ａに複数設置されている。
【００２１】
より具体的には、透析室Ａに設置された複数の透析用監視装置１のそれぞれの配管部Ｍｂには、透析液供給装置２から延設された配管Ｒ１が引き込まれるとともに、図示しない排液手段に接続された配管Ｒ２を具備しており、配管Ｒ１に透析液導入ラインＬ１が接続されるとともに、配管Ｒ２に透析液排出ラインＬ２が接続されている。そして、透析液導入ラインＬ１及び透析液排出ラインＬ２に跨って複式ポンプ７が配設されており、当該複式ポンプ７を駆動させることによって、配管Ｒ１及び透析液導入ラインＬ１を介してダイアライザ５に透析液を導入し、配管Ｒ２及び透析液排出ラインＬ２を介してダイアライザ５の排液を排出させ得るようになっている。
【００２２】
このうち透析用監視装置１内における配管Ｒ１には、透析液供給装置２から供給された液体の流量を検出する流量検出センサ９、当該液体の給液圧を検出する液圧検出センサ１０、及び当該液体の電導度（濃度）を検出する電導度検出センサ１１が配設されている。さらに、透析用監視装置１内には、複式ポンプ７をバイパスして透析液を流動可能なバイパスラインＬ３が形成されており、このバイパスラインＬ３の途中に除水ポンプ８が配設されている。かかる除水ポンプ８を駆動させることにより、ダイアライザ５内を流れる患者の血液に対して除水を行わせることが可能とされる。
【００２３】
しかるに、透析用監視装置１内の配管部Ｍｂにおける複式ポンプ７及び除水ポンプ８等は、本発明の「送液手段」を構成するもので、複式ポンプ７に代えて、所謂チャンバ形式のものとした場合、そのチャンバが本発明に係る「送液手段」に相当する。また、流量検出センサ９、液圧検出センサ１０或いは電導度検出センサ１１等のセンサ類は、任意のものを配設してもよく若しくは他の汎用的なものを加えるようにしてもよい。さらに、本実施形態においては、当該センサ類を配管Ｒ１に配設するようにしているが、他の配管（例えば配管Ｒ２）に配設するものとしてもよい。例えば流量検出センサ９、液圧検出センサ１０或いは電導度検出センサ１１等のセンサ類を配管Ｒ１又は配管Ｒ２の何れか一方に配設させたもの或いは両方に配設させたものとしてもよい。
【００２４】
ダイアライザ５は、同図に示すように、その筐体部に、血液導入口５ａ、血液導出口５ｂ、透析液導入口５ｃ及び透析液導出口５ｄが形成されており、このうち血液導入口５ａには動脈側血液回路６ａの基端部が、血液導出口５ｂには静脈側血液回路６ｂの基端部がそれぞれ接続されている。このように、動脈側血液回路６ａ及び静脈側血液回路６ｂは、ダイアライザ５に取り付けられて患者の血液を体外循環する血液回路を構成している。
【００２５】
すなわち、ダイアライザ５内には、複数の中空糸膜が収容されており、かかる中空糸膜は、内部が血液流路かつ外部（中空糸膜の外周面と筐体を構成するケースの内周面との間に形成された流路）が透析液流路とされるとともに、当該中空糸膜の外周面と内周面とを貫通した微小な孔（ポア）が多数形成されている。このように、ダイアライザ５内には、中空糸膜を介して患者の血液が流れる血液流路及び透析液が流れる透析液流路が形成されているのである。
【００２６】
そして、動脈側血液回路６ａの先端に取り付けられた動脈側穿刺針及び静脈側血液回路６ｂの先端に取り付けられた静脈側穿刺針をそれぞれ患者に穿刺した状態としつつ血液ポンプＰを駆動させることにより、患者の血液が体外循環し、その体外循環の過程において、動脈側血液回路６ａを流れた血液は、血液流路を通過して静脈側血液回路６ｂに至るとともに、透析液導入ラインＬ１を流れた透析液は、透析液流路を通過して透析液排出ラインＬ２に至るものとされ、中空糸膜を介して血液中の不純物等が透析液内に濾過されることにより浄化し得るようになっている。
【００２７】
また、透析液導入口５ｃ及び透析液導出口５ｄは、透析用監視装置１から延設された透析液導入ラインＬ１及び透析液排出ラインＬ２とカプラＣを介してそれぞれ接続されている。かかるカプラＣは、透析液導入ラインＬ１の先端及び透析液排出ラインＬ２の先端にそれぞれ接続された接続具から成り、これらカプラＣをダイアライザ５の透析液導入口５ｃ及び透析液導出口５ｄにそれぞれ接続して血液浄化治療（透析治療）を行い得るようになっている。また、透析治療が行われていない時間帯であって、ダイアライザ５が透析用監視装置１に取り付けられない状態においては、カプラＣを互いに連結した状態とすることで、透析液導入ラインＬ１の先端と透析液排出ラインＬ２の先端とが接続されたバイパス状態とすることができる。
【００２８】
一方、水処理装置３は、内部に濾過膜等を内在したモジュール（浄化濾過器）を具備し、原水を浄化して清浄水（ＲＯ水）を得るためのものであり、配管を介して溶解装置４と連結されて当該溶解装置４に清浄水を供給し得るとともに、透析液供給装置２と連結されて当該透析液供給装置２に清浄水を供給し得るよう構成されている。かかる水処理装置３で得られた清浄水は、透析液供給装置２にて透析液を作製する際に用いられたり或いは当該透析液供給装置２や透析用監視装置１の配管等を洗浄する洗浄水としても用いられる。
【００２９】
溶解装置４は、例えば所定量の透析用粉体薬剤が投入されるとともに、その透析用粉体薬剤と水処理装置３から供給された清浄水とを混合（ミキシング）して所定濃度の透析液原液を作製するためのものである。また、溶解装置４、配管を介して透析液供給装置２と接続されており、作製された透析液原液を透析液供給装置２に供給し得るよう構成されている。
【００３０】
透析液供給装置２（液体供給装置）は、水処理装置３で得られた清浄水及び溶解装置４で作製された透析液原液を用いて所定濃度の透析液を作製し得るとともに、透析用監視装置１（血液浄化装置）のそれぞれに作製した透析液を供給可能なものとされている。すなわち、透析液供給装置２は、配管Ｒ１を介して複数の透析用監視装置１のそれぞれと接続されており、それら透析用監視装置１のそれぞれに透析液、洗浄水及び消毒液等の所望の液体を供給し得るよう構成されているのである。
【００３１】
一方、複数の透析用監視装置１（血液浄化装置）と透析液供給装置２（液体供給装置）とは配線Ｈにより電気的に接続されており、かかる配線Ｈを介して工程信号及び送液信号が透析液供給装置２から各透析用監視装置１に送信されるよう構成されている。すなわち、複数の透析用監視装置１は、配線Ｈを介して透析液供給装置２から送信される所定の工程信号に基づいて所定の動作（送液のためのポンプの駆動や電磁弁の開閉等の動作であって、配管内を透析液に置換する置換工程、血液浄化治療工程或いは消毒工程等の各工程に伴う動作）が行われるよう構成されている。これにより、各透析用監視装置１は、所定の工程信号に従って一律的に且つ一斉に所定の動作が行われることとなる。
【００３２】
工程信号は、予め設定されたプログラムに従って出力される信号であって各透析用監視装置１にて行われるべき工程を指示する電気信号から成り、例えば配管部Ｍｂの配管等に対し、洗浄するための洗浄工程信号、薬液消毒するための薬液消毒工程信号、熱水消毒するための熱水消毒工程信号、待機（ブローダウン）のためのプリセット工程信号（所定の液体の供給がなされない工程）、配管部Ｍｂの配管内を透析液に置換する液置換工程信号、配管部Ｍｂの配管内に透析液を供給して透析治療を行わせる透析工程信号等が挙げられ、その送信された工程信号に応じて配管部Ｍｂの配管に配設されたアクチュエータ（複式ポンプ７や除水ポンプ８等）を制御するようになっている。
【００３３】
ここで、本実施形態に係る透析液供給装置２（液体供給装置）は、図３に示すように、各透析用監視装置１の制御手段１６に工程信号及び送液信号を送信し得るマイコン等から成る制御手段１２と、透析液供給装置２における所定の液体の供給に関わる異常を判別し得る供給側判別手段１３と、供給側判別手段１３にて異常が判別されたことを条件として警報を出力する供給側警報手段１４と、配管部Ｍａにおける所定の液体に関わるパラメータ等やポンプ類又は電磁弁等の状態を検出可能な検出手段１５ａとを有して構成されている。
【００３４】
具体的には、検出手段１５ａは、配管部Ｍａにおける所定の液体の給圧（液圧）や電導度又は温度等の種々パラメータやポンプ類又は電磁弁等の状態を検出し得るセンサから成り、この検出手段１５ａによる検出値に基づいて送液信号が生成される。かかる送液信号は、配管部Ｍａにおける給圧（所定の液体の液圧）等に基づいて制御手段１２にて生成される電気信号から成り、透析用監視装置１に対して所定の液体が送液されたと推定し得る信号から成る。
【００３５】
また、検出手段１５ａは、供給側判別手段１３と電気的に接続されている。かかる供給側判別手段１３は、制御手段１２と電気的に接続されており、制御手段１２から送信された工程信号を受信可能とされるとともに、その受信した工程信号と、検出手段１５ａで検出された検出値とに基づいて透析液供給装置２における所定の液体の供給に関わる異常を判別し、異常が生じたと判別された場合、供給側警報手段１４に信号を送信して警報を出力させ得るようになっている。
【００３６】
供給側警報手段１４は、装置に取り付けられたブザー、液晶画面等のモニタ又は警告灯などから成り、供給側判別手段１３から異常信号が送信されると、ブザーを鳴らす、モニタに異常の表示を行う、或いは警告灯を点灯又は点滅させる等して警報を出力し得るよう構成されている。また、供給側判別手段１３にて透析液供給装置２における異常が判別されると、その異常信号が制御手段１２に送信され、異常状態であることを認識させることができる。
【００３７】
また、本実施形態に係る透析用監視装置１（血液浄化装置）は、図３に示すように、透析液供給装置２の制御手段１２から送信された工程信号及び送液信号を受信し得るマイコン等から成る制御手段１６と、透析用監視装置１における送液手段（複式ポンプ７及び除水ポンプ８等）に関わる異常を判別し得る治療側判別手段１７と、治療側判別手段１７にて異常が判別されたことを条件として警報を出力する治療側警報手段１８と、配管Ｍｂにおける所定の液体に関わるパラメータ等やポンプ類又は電磁弁等の状態を検出可能な検出手段１５ｂとを有して構成されている。
【００３８】
具体的には、検出手段１５ｂは、配管部Ｍｂにおける所定の液体の給圧（液圧）や電導度又は温度等の種々パラメータやポンプ類又は電磁弁等の状態を検出し得るセンサから成り、治療側判別手段１７と電気的に接続されている。かかる治療側判別手段１７は、制御手段１６と電気的に接続されており、制御手段１６から送信された工程信号及び送液信号を受信可能とされるとともに、その受信した工程信号及び送液信号と、検出手段１５ｂで検出された検出値とに基づいて透析用監視装置１における送液手段（複式ポンプ７又は除水ポンプ８等）に関わる異常を判別し、異常が生じたと判別された場合、治療側警報手段１８に信号を送信して警報を出力させ得るようになっている。
【００３９】
治療側警報手段１８は、装置に取り付けられたブザー、液晶画面等のモニタ又は警告灯などから成り、治療側判別手段１７から異常信号が送信されると、ブザーを鳴らす、モニタに異常の表示を行う、或いは警告灯を点灯又は点滅させる等して警報を出力し得るよう構成されている。また、治療側判別手段１７にて透析用監視装置１における異常が判別されると、その異常信号が制御手段１６に送信され、異常状態であることを認識させることができる。
【００４０】
加えて、本実施形態に係る治療側判別手段１７は、工程信号と、透析液供給装置２から透析用監視装置１に対して所定の液体が送液されたと推定し得る送液信号と、送液手段（複式ポンプ７、除水ポンプ８等）の駆動状態とに基づいて、透析液供給装置２（液体供給装置）又は透析用監視装置１（血液浄化装置）の何れに異常があるか判別し得るよう構成されている。
【００４１】
例えば、工程信号に基づいて、透析液供給装置２から透析用監視装置１に所定の液体が供給されるべき工程（洗浄工程、薬液消毒工程、熱水消毒工程、液置換工程又は透析工程）であるか、或いは所定の液体が供給されない工程（プリセット工程）であるか判別できるとともに、送液信号に基づいて、透析液供給装置２から透析用監視装置１に所定の液体が供給されたか否か判別できる。また、検出手段１５ａの検出値に基づいて所定の液体の供給に関わる異常を検出することができるとともに、検出手段１５ｂの検出値に基づいて透析用監視装置１の配管部Ｍｂにおける送液手段（複式ポンプ７、除水ポンプ８）の駆動状態を検出することができる。
【００４２】
そして、透析液供給装置２において、所定の液体を供給すべき工程のときであって検出手段１５ａの検出値に基づいて供給側判別手段１３が所定の液体の供給に関わる異常を判別したとき、或いは所定の液体を供給すべき工程でないときであって検出手段１５ａの検出値に基づいて供給側判別手段１３が所定の液体の供給に関わる異常を判別したとき、供給側警報手段１４にて警報が出力される。なお、供給側判別手段１３にて異常が判別されない場合、各透析用監視装置１に対して送液信号が送信され、供給側警報手段１４による警報は行われないようになっている。
【００４３】
さらに、透析用監視装置１において、所定の液体が供給されるべき工程であって所定の液体の供給が行われているにも関わらず、送液手段（複式ポンプ７、除水ポンプ８）が所定のタイミングにて必要な駆動が行われていない場合（停止している場合）、治療側判別手段１７にて異常が生じていると判別され、治療側警報手段１８にて警報が出力される。一方、所定の液体が供給されるべき工程であって所定の液体の供給が行われており、送液手段（複式ポンプ７、除水ポンプ８）が所定のタイミングにて必要な駆動が行われている場合（正常に駆動している場合）、或いは所定の液体が供給されない工程であって、透析液供給装置２から所定の液体が供給されず、送液手段（複式ポンプ７、除水ポンプ８）が停止している場合は、治療側判別手段１７にて異常と判別されず、治療側警報手段１８による警報は出力されない。
【００４４】
またさらに、透析液監視装置１において、所定の液体が供給されるべき工程であって送液信号がない場合、或いは所定の液体が供給されるべき工程でないにも関わらず送液信号がある場合、治療側判別手段１７にて透析液供給装置２（液体供給装置）に異常が生じていると判別する。本実施形態においては、このように、透析液供給装置１の異常が判別されたとき、治療側警報手段１８による警報を禁止する（治療側警報手段１８による警報を行わない）よう構成されている。
【００４５】
すなわち、透析液供給装置２において所定の液体の供給に関わる異常が生じると、透析用監視装置１においては、正常であるにも関わらず、透析液供給装置２の異常に伴うエラーが生じてしまう虞がある。本実施形態によれば、透析液監視装置１において、治療側判別手段１７にて透析液供給装置２に異常が生じていると判別されて異常箇所が特定された場合、透析液供給装置２の供給側警報手段１４で警報を出力させるとともに、異常が生じていない透析液監視装置１の治療側警報手段１８による警報は禁止して、不要な警報が複数の透析液監視装置１にて一斉に行われてしまうのを回避することができるのである。
【００４６】
次に、本実施形態に係る血液浄化システムにおける制御内容について、図４のフローチャートに基づいて説明する。
透析液供給装置１において、その制御手段１２から透析用監視装置１に対して工程信号を送信する（Ｓ１）とともに、Ｓ２にて送液する工程か否か（所定の液体を供給する工程か否か）が判定され、送液する工程（所定の液体を供給する工程）である場合、Ｓ３に進み、検出手段１５ａの検出値に基づいて異常があるか否か判定される。
【００４７】
また、Ｓ２にて送液する工程でない（例えばプリセット工程などの所定の液体を供給する工程でない）と判定されると、Ｓ５に進み、検出手段１５ａの検出値に基づいて異常があるか否か判定される。そして、Ｓ３又はＳ５にて検出手段１５ａの検出値に基づいて異常があると判定されると、供給側警報手段１４にて警報を出力させるとともに、Ｓ５にて検出手段１５ａの検出値に基づいて異常がないと判定されると、供給側警報手段１４による警報は行われない。さらに、Ｓ３にて検出手段１５ａの検出値に基づいて異常がないと判定されると、制御手段１２から透析用監視装置１に対して送液信号を送信する（Ｓ４）とともに、供給側警報手段１４による警報は行われない。
【００４８】
一方、透析用監視装置１においては、透析液供給装置２から工程信号を受信し（Ｓ６）、送液信号を受信した（Ｓ７）後、Ｓ８にて検出手段１５ｂの検出値に基づいて複式ポンプ７等の送液手段の動作の有無について判定され、当該送液手段が動作している場合、治療側警報手段１８による警報は行われない。また、Ｓ８にて送液手段が動作していない場合、Ｓ９にて送液する工程か否か（所定の液体を供給する工程か否か）が判定され、送液する工程（所定の液体を供給する工程）である場合、Ｓ１０に進むとともに、送液する工程でない場合、治療側警報手段１８による警報は行われない。そして、Ｓ１０にて送液信号を受信したか否かが判定され、送液信号を受信した場合、治療側警報手段１８によって警報を出力させるとともに、送液信号を受信していない場合、治療側警報手段１８による警報は行われない。
【００４９】
本実施形態によれば、透析液供給装置２（液体供給装置）の異常が判別されたとき、治療側警報手段１８による警報を禁止するので、透析液供給装置２（液体供給装置）の液体の供給に関わる異常が判別された場合、透析用監視装置１（血液浄化装置）に異常がなくても警報が出力されてしまうのを回避することができる。また、本実施形態に係る治療側判別手段１７は、工程信号と、透析液供給装置２（液体供給装置）から透析用監視装置１（血液浄化装置）に対して所定の液体が送液されたと推定し得る送液信号と、送液手段（複式ポンプ７、除水ポンプ８等）の駆動状態とに基づいて、透析液供給装置２又は透析用監視装置１の何れに異常があるか判別し得るので、異常が判別された装置を容易に特定することができ、異常に対する対処を早急且つ円滑に行わせることができる。
【００５０】
さらに、工程信号及び送液信号は、透析液供給装置２（液体供給装置）から透析用監視装置１（血液浄化装置）に送信されるので、透析液供給装置２から送信された工程信号に従って透析用監視装置１において一律的に且つ一斉に所定の動作を行わせることができるとともに、透析液供給装置２の液体の供給に関わる異常が判別された場合、透析用監視装置１に異常がなくても全ての透析用監視装置１にて警報が一斉に出力されてしまうのを回避することができる。
【００５１】
次に、本発明に係る第２の実施形態について説明する。
本実施形態に係る血液浄化システムは、第１の実施形態と同様、液体供給手段にて透析液を作製し、その透析液を血液浄化手段に供給して透析治療を行わせるもので、図１に示すように、病院等医療現場における透析室（治療室Ａ）に設置された複数の透析用監視装置１（血液浄化装置）と、当該医療現場における透析室Ａとは別の場所である機械室Ｂに設置された透析液供給装置２（液体供給装置）と、水処理装置３及び溶解装置４とから主に構成される。なお、第１の実施形態と同様の構成要素には同一の符号を付し、それらの説明を省略する。
【００５２】
本実施形態に係る透析用監視装置１（血液浄化装置）は、図５に示すように、制御手段１６と、治療側判別手段１７と、治療側警報手段１８と、配管Ｍｂにおける所定の液体に関わるパラメータ等やポンプ類又は電磁弁等の状態を検出可能な検出手段１５ｂとを有するとともに、操作によって任意の工程信号を選択し得る操作手段１９及び所定の液体が供給されたことを検知し得る検知手段２０を有して構成されている。
【００５３】
すなわち、本実施形態においては、透析液供給装置２（液体供給装置）から工程信号及び送液信号は送信されず、透析用監視装置１における操作手段１９の操作によって工程信号が得られるとともに、検知手段２０の検知によって送液信号が得られるようになっている。例えば、操作手段１９は、透析用監視装置１に配設されたタッチセンサや操作ボタン等から成り、操作者が任意に操作することによって、工程信号を生成して制御手段１６に送信し得るとともに、検知手段２０は、透析用監視装置１における配管部Ｍｂに供給された所定の液体の液圧（給圧）を検知し得る液圧センサ等から成り、当該給圧を検知することによって、透析液供給装置２から透析用監視装置１に所定の液体が送液されたと推定することができる。
【００５４】
そして、透析用監視装置１にて得られた工程信号及び送液信号と、検出手段１５ｂで検出された検出値とに基づいて透析用監視装置１における送液手段（複式ポンプ７又は除水ポンプ８等）に関わる異常を判別し、異常が生じたと判別された場合、治療側警報手段１８に信号を送信して警報を出力させ得るようになっている。治療側警報手段１８は、第１の実施形態と同様、装置に取り付けられたブザー、液晶画面等のモニタ又は警告灯などから成り、治療側判別手段１７から異常信号が送信されると、ブザーを鳴らす、モニタに異常の表示を行う、或いは警告灯を点灯又は点滅させる等して警報を出力し得るよう構成されている。
【００５５】
さらに、本実施形態に係る治療側判別手段１７は、第１の実施形態と同様、工程信号と、透析液供給装置２から透析用監視装置１に対して所定の液体が送液されたと推定し得る送液信号と、送液手段（複式ポンプ７、除水ポンプ８等）の駆動状態とに基づいて、透析液供給装置２（液体供給装置）又は透析用監視装置１（血液浄化装置）の何れに異常があるか判別し得るよう構成されている。
【００５６】
またさらに、透析液監視装置１において、所定の液体が供給されるべき工程であって送液信号がない場合、或いは所定の液体が供給されるべき工程でないにも関わらず送液信号がある場合、治療側判別手段１７にて透析液供給装置２（液体供給装置）に異常が生じていると判別する。本実施形態においては、このように、透析液供給装置１の異常が判別されたとき、第１の実施形態と同様、治療側警報手段１８による警報を禁止する（治療側警報手段１８による警報を行わない）よう構成されている。
【００５７】
すなわち、透析液供給装置２において所定の液体の供給に関わる異常が生じると、透析用監視装置１においては、正常であるにも関わらず、透析液供給装置２の異常に伴うエラーが生じてしまう虞がある。本実施形態によれば、透析液監視装置１において、治療側判別手段１７にて透析液供給装置２に異常が生じていると判別されて異常箇所が特定された場合、透析液供給装置２の供給側警報手段１４で警報を出力させるとともに、異常が生じていない透析液監視装置１の治療側警報手段１８による警報は禁止して、不要な警報が複数の透析液監視装置１にて一斉に行われてしまうのを回避することができるのである。
【００５８】
本実施形態によれば、第１の実施形態と同様、透析液供給装置２（液体供給装置）の異常が判別されたとき、治療側警報手段１８による警報を禁止するので、透析液供給装置２（液体供給装置）の液体の供給に関わる異常が判別された場合、透析用監視装置１（血液浄化装置）に異常がなくても警報が出力されてしまうのを回避することができる。また、本実施形態に係る治療側判別手段１７は、工程信号と、透析液供給装置２（液体供給装置）から透析用監視装置１（血液浄化装置）に対して所定の液体が送液されたと推定し得る送液信号と、送液手段（複式ポンプ７、除水ポンプ８等）の駆動状態とに基づいて、透析液供給装置２又は透析用監視装置１の何れに異常があるか判別し得るので、異常が判別された装置を容易に特定することができ、異常に対する対処を早急且つ円滑に行わせることができる。
【００５９】
特に、本実施形態に係る透析用監視装置１（血液浄化装置）は、操作によって任意の工程信号を選択し得る操作手段１９を具備するとともに、工程信号は、当該操作手段１９の操作によって得られるので、透析用監視装置１（血液浄化装置）にて工程信号を得ることができる。また、本実施形態に係る透析用監視装置（血液浄化装置）は、所定の液体が供給されたことを検知し得る検知手段２０を具備するとともに、送液信号は、当該検知手段２０の検知によって得られるので、透析用監視装置１（血液浄化装置）にて送液信号を得ることができる。
【００６０】
以上、本実施形態に係る血液浄化システムついて説明したが、本発明はこれに限定されるものではなく、例えば図６に示すように、液体供給手段としての水処理装置３と、血液浄化装置としての個人用透析装置１とで構成された血液浄化システムとしてもよい。かかる個人用透析装置１は、水処理装置３で生成された清浄水が配管Ｒ１を介して供給され、その清浄水に収容タンクＴ１内の透析液用原液（Ａ原液及びＢ原液）を混合して所定濃度の透析液を作製して透析治療を行い得るものである。
【００６１】
また、水処理装置３と各個人用透析装置１とは、配管Ｒ１を介して連結されて、水処理装置３で生成された清浄水（所定の液体）が各個人用透析装置１に供給されるとともに、配線Ｈにて電気的に接続されており、水処理装置３から各個人用透析装置１に対して、工程信号及び送液信号が送信されるようになっている。そして、工程信号と、送液信号と、個人用透析装置１における送液手段の駆動状態とに基づいて、水処理装置３（液体供給装置）又は個人用透析装置１（血液浄化装置）の何れに異常があるか判別し得るよう構成されているとともに、水処理装置３（液体供給装置）の異常が判別されたとき、個人用透析装置１に配設された治療側警報手段による警報を禁止するよう構成されている。
【００６２】
さらに、本実施形態に係る治療側判別手段１７は、工程信号と、送液信号と、送液手段の駆動状態とに基づいて、透析液供給装置２（液体供給装置）又は透析用監視装置１（血液浄化装置）の何れに異常があるか判別し、透析液供給装置２の異常が判別されたとき、治療側警報手段１８による警報を禁止するよう構成されているが、透析用監視装置１側にて透析液供給装置２（液体供給装置）又は透析用監視装置１（血液浄化装置）の何れに異常があるか判別（特定）せず、透析液供給装置２にて異常が判別された場合、各透析用監視装置１における警報を禁止する信号が透析液供給装置２から送信されるものとしてもよい。
【００６３】
またさらに、送液信号として、洗浄工程又は熱水消毒工程で供給される洗浄液や熱水、或いは薬剤消毒工程で供給される薬剤の温度、さらには、置換工程や透析工程で供給される透析液、或いは薬剤消毒工程で供給される薬剤の濃度を用いるようにしてもよい。なお、工程信号及び所定の液体は、上記実施形態で挙げられたものに限らず、所定の液体として他の液体を供給する工程信号を有するものであってもよい。
【産業上の利用可能性】
【００６４】
液体供給装置の異常が判別されたとき、治療側警報手段による警報を禁止する血液浄化システムであれば、他の機能が付加されたもの等にも適用することができる。
【符号の説明】
【００６５】
１  透析用監視装置（血液浄化装置）
２  透析液供給装置（液体供給装置）
３  水処理装置
４  溶解装置
５  ダイアライザ（血液浄化器）
６ａ  動脈側血液回路
６ｂ  静脈側血液回路
７  複式ポンプ（送液手段）
８  除水ポンプ（送液手段）
９  流量検出センサ
１０  液圧検出センサ
１１  電導度検出センサ
１２  制御手段
１３  供給側判別手段
１４  供給側警報手段
１５ａ、１５ｂ  検出手段
１６  制御手段
１７  治療側判別手段
１８  治療側警報手段
１９  操作手段
２０  検知手段
【図１】
0006668171.tif 000002
【図２】
0006668171.tif 000003
【図３】
0006668171.tif 000004
【図４】
0006668171.tif 000005
【図５】
0006668171.tif 000006
【図６】
0006668171.tif 000007